【事件の表示】
　平成　４年特許願第２３３９４５号「ホログラム型光スイッチおよび光伝送装置」拒絶査定に対する審判事件［平成　６年　３月２５日出願公開、特開平　６−　８２８４４］について、次のとおり審決する。
【結　論】
　本件審判の請求は、成り立たない。
【理　由】
１．手続の経緯・本願発明
　本願は、平成４年９月１日の出願であって、その請求項１ないし３に係る発明は、それぞれ、平成１３年４月２５日付けで補正された明細書の特許請求の範囲の請求項１ないし３に記載された事項により特定されるものであるところ、その請求項１の記載は次のとおりである。
「【請求項１】信号光源から入射される信号光を受光器側に回折して該受光器側に対して該信号光を断続し、又は任意に光路を切換え、或は任意に分配するホログラムを備えたホログラム型光スイッチであって、
　光波干渉を利用してホログラム素子に該ホログラムを書換え可能に記録するホログラム書き込み手段を備え、
　前記受光器は、前記ホログラム書き込み手段からの光を直接受光する複数の受光素子が平面上に配列されてなる受光素子アレイにより構成されたホログラム型光スイッチ。」（以下、「本願発明」という。）
２．刊行物に記載された発明
（１）刊行物１
　前置審査において拒絶の理由に引用された本願出願前の１９９２年３月１５日に発行された「１９９２年電子情報通信学会春季大会講演論文集（４）４−４５４」（以下、「刊行物１」という。）には、次のように記載されている。
「２．光スイッチの構成と動作原理
　液晶ライトバルブ（ＦＬＣ−ＳＬＭ）は光書き込み式の反射型空間光変調器で、書き込み面上に投射された光強度分布を液晶により屈折率分布に変換し、読み出し面上に位相ホログラムを形成することができる。読み出し面に信号光を入射させると、この位相ホログラムによって回折される。したがって、適当な位相ホログラムを書き込むことで信号光を所望の位置に出力させることができ、位相ホログラムの書き換えによって信号光のスイッチングが実現できる。図１にＦＬＣ−ＳＬＭを用いた光スイッチの実験系を示す。…。制御光は２ヶ所より出射するが、一方は参照光としてＦＬＣ−ＳＬＭに垂直に入射する位置に固定し、他方を出射位置選択光として出力ポートに対応した位置から出射する。…、出射位置選択光の出射位置を決めれば信号光の到達する出力面上の位置は図２のように信号光のＦＬＣ−ＳＬＭへの入射位置とは無関係に決まる。」
　そして、図１には、制御光を書き込み面に照射して位相ホログラムを書き込む「制御系」と、信号光が読み出し面に入射され、回折され、ＰＢＳ及びレンズを介して出力面に至る「信号系」が記載されている。
　また、図２には、液晶ライトバルブ（ＬＣＬＶ）で回折された信号光がＰＢＳ及びレンズを介して所望の出力ポートに集光される様子が示されている。
　これらの記載によれば、刊行物１には「液晶ライトバルブの書き込み面上に制御光を投射して読み出し面上に位相ホログラムを形成し、読み出し面に入射された信号光が前記位相ホログラムによって回折されて所望の位置の出力ポートに出力され、前記位相ホログラムの書き換えによって信号光をスイッチングすることのできる液晶ライトバルブを用いたホログラム型光スイッチ」の発明が記載されているものと認められる。
　なお、図１においては、出力面に半透明スクリーンが使用され、これをカメラでモニタする構成となっているが、図１は、液晶ライトバルブを用いたホログラム型光スイッチの実験系であって、その動作を確認するためのものであるから、このような構成となっているのであって、実際に光スイッチに適用される場合には、図２に示されるようにその出力位置には出力ポートが設けられるものと認められる。
（２）刊行物２
　同じく、前置審査において拒絶の理由に引用された本願出願前の平成４年８月１２日に発行された特開平４−２２１９２７号公報（以下、「刊行物２」という。）には、次のように記載されている。
「【００２９】図５は、本発明に係る光スイッチの第３の実施例を示す構成図である。
 【００３０】本第３の実施例と前記第１の実施例とが異なる点は、電気アドレス型液晶空間光位相変調器を用いて反射型光スイッチを構成する代わりに、光アドレス型液晶空間光位相変調器を用いて反射型光スイッチを構成したことにある。
 【００３１】そのため、本第３の実施例では、液晶空間光変調器として液晶ライトバルブ１４ａを用い、かつ、ホログラム作製用制御装置１６ａとして電圧印加型のものに代えて光投射型のものを用い、液晶ライトバルブ１４ａの一面側に入力ポート群１１の光出射端面および出力ポート群１２の光入射端面が対向し、液晶ライトバルブ１４ａの他面側にホログラム作製用制御装置１６ａを配置している。」
「【００３３】
　〜この液晶ライトバルブ１４ａにおいては、ガラス基板３０ａ側に光信号ＩＳが読み出し光ＲＬとして入出射され、ガラス基板３０ｂ側にホログラム作製用制御装置１６ａの投射光が書き込み光ＷＬとして入射される。
 【００３４】液晶ライトバルブ１４ａでは、ホログラム作製用制御装置１６ａによって光電層３６に投射されたパターンに応じて液晶層３３に電界が生じ、その電界に応じて液晶分子の向きが変わり、液晶の持つ屈折率異方性により書き込まれたパターンに応じた屈折率分布が液晶層３３に現れる。入力光信号ＩＳ（読み出し光ＲＬ）は、この液晶層３３によって位相変調され、偏向することになる。このように液晶ライトバルブ１４ａは、光アドレス型空間光位相変調器として機能する。
 【００３５】なお、入力ポート群１１と出力ポート群１２と同様の配列の光源アレイを液晶ライトバルブ１４ａの光電層３６のホログラム作製用制御装置１６ａ側に用意し、接続したい入力ポートと出力ポートに対応する光源アレイのポートから制御光を光電層３６に投射し光電層３６に干渉縞を描くように構成してもよい。」
　なお、出力ポート群１２に関して第１２段落には「１２は複数の光ファイバやＯＥＩＣを空間的にマトリクス状に配列してなる出力ポート群」と記載されている。
　これらの記載によれば、刊行物２には「書き込み光ＷＬによりホログラムが書き込まれた液晶ライトバルブ１４ａに入力ポート群１１より入力光信号ＩＳが入射されるホログラム型光スイッチにおいて、偏向された液晶ライトバルブからの光を直接出力ポート群１２で受光する構成」が記載されているものと認められる。
（３）刊行物３
　また、本願明細書の第４〜６段落及び図８において従来のホログラムスイッチの例として引用された本願出願前の１９８５年９月１日に発行されたＡＰＰＬＩＥＤ　ＯＰＴＩＣＳ　ＶＯＬ．２４，ＮＯ．１７　Ｐ．２８５１−２８５８（以下、「刊行物３」という。）の第２８５３頁左欄第１８行〜３５行並びにＦｉｇ．５及びＦｉｇ６には、本願の図８に示される構成、すなわち、「回折されたホログラムプレートからの光を複数の受光素子が平面上に配列されてなる受光素子アレイで直接受光する構成」が記載されているものと認められる。
３．対比
　本願発明と刊行物１に記載された発明を対比するに、刊行物１に記載された発明において、回折光の出力位置に配置される出力ポートが受光器としての機能を果たすものであることは明らかであり、また、その「光スイッチ」及び「液晶ライトバルブ」が、それぞれ、本願発明の「信号光源から入射される信号光を受光器側に回折して該受光器側に対して該信号光を断続し、又は任意に光路を切換え、或は任意に分配するホログラムを備えたホログラム型光スイッチ」及び「光波干渉を利用してホログラム素子に該ホログラムを書換え可能に記録するホログラム書き込み手段」に相当するものであることも明らかであるから、両者は、ともに
「信号光源から入射される信号光を受光器側に回折して該受光器側に対して該信号光を断続し、又は任意に光路を切換え、或は任意に分配するホログラムを備えたホログラム型光スイッチであって、
　光波干渉を利用してホログラム素子に該ホログラムを書換え可能に記録するホログラム書き込み手段を備えるホログラム型光スイッチ。」の発明である点で一致する。
　一方、本願発明は「受光器」が「ホログラム書き込み手段からの光を直接受光する複数の受光素子が平面上に配列されてなる受光素子アレイにより構成された」ものであるのに対し、刊行物１に記載された発明では、液晶ライトバルブと出力ポートの間にＰＢＳ及びレンズが設けられており、受光器が「ホログラム書き込み手段からの光を直接受光する」ようになっておらず、また、出力ポートについて「複数の受光素子が平面上に配列されてなる受光素子アレイにより構成された」ものであるとは記載されていない点で相違する。
４．判断
　上記相違点について検討するに、ホログラム型光スイッチにおいて、ホログラム手段からの光を直接受光するように受光器を配置することは、上記刊行物２や刊行物３に記載されているところであり、また、刊行物３には、複数の受光素子が平面上に配列されてなる受光素子アレイにより受光器を構成することが記載されているところであるから、刊行物１に記載される発明において、当業者が受光器を本願発明のごとく「ホログラム書き込み手段からの光を直接受光する複数の受光素子が平面上に配列されてなる受光素子アレイにより構成された」ものとすることに格別の困難は認められない。
５．むすび
　したがって、本願発明は、上記刊行物１ないし３に記載された発明に基いて当業者が容易に発明できたものであり、特許法第２９条第２項の規定により特許を受けることができない。
　よって、結論のとおり審決する。